(57)【特許請求の範囲】
【請求項１】
略筒状の第１の反射鏡と、この第１の反射鏡の内側に配置された発光部と、前面の周縁部の周方向に多数の突起状のランプ着脱用のグリップを有して前記第１の反射鏡の前端開口部を被覆した前面透光具と、前記第１の反射鏡の前方に配置された略筒状の第２の反射鏡とを備え、前記第２の反射鏡の上端開口部の縁部を、前記発光部の先端部と前記グリップの内周側とを結ぶ線よりも発光部中心軸側に設定したことを特徴とする照明器具。
【請求項２】
前記第１の反射鏡の前端開口部の口径よりも前記第２の反射鏡の上端開口部の開口径を小さくするとともに両開口部の間に隙間を設けた請求項１記載の照明器具。
【請求項３】
前記第２の反射鏡の前記上端開口部の前記縁部が、折曲端が外向きになるように断面逆Ｌ字状に曲線状または直線状に折曲された請求項１または請求項２記載の照明器具。
【発明の詳細な説明】
【０００１】
【発明の属する技術分野】
この発明は、ダウンライトなどの照明器具に関するものである。
【０００２】
【従来の技術】
第１の従来例を図５に示す。すなわち、この照明器具は、ラッパ状の第１の反射鏡５０とその開口部に前面ガラス５１とを有し内部に発光部を設けたランプ５２を使用した照明器具であり、略円錐台筒状の第２の反射鏡５３の上端部がランプ５２の側面まで覆うとともに、ランプ５２と第２の反射鏡５３との間はある程度隙間δをおいてランプ交換作業を容易に行なえるようになっている。
【０００３】
５４は天井５９の埋込穴６０に取付具５５により取付けられた器具本体、５６はランプ５２を装着し器具本体５６に取付けられたランプソケット、５７は端子台、５８は枠である。
【０００４】
第２の従来例を図６および図７に示す。すなわち、この照明器具は、第１の従来例の器具を小型化した例であり、器具を小型化するとランプ５２と第２の反射鏡５３との隙間δが小さくなり、ランプ交換がやりにくくなるので、ランプ５２を操作しやすくするため前面ガラス５１の周縁にグリップ６１を設けている。
【０００５】
【発明が解決しようとする課題】
しかし、第２の従来例は、前面ガラス５１のグリップ６１が第２の反射鏡５３に映り込んで第２の反射鏡５３の内面に模様ができ、意匠上好ましくないという欠点があった。
【０００６】
したがって、この発明の目的は、小型化できるとともに、反射鏡にグリップが映り込むのを防止した照明器具を提供することである。
【０００７】
【課題を解決するための手段】
請求項１記載の照明器具は、略筒状の第１の反射鏡と、この第１の反射鏡の内側に配置された発光部と、前面の周縁部の周方向に多数の突起状のランプ着脱用のグリップを有して前記第１の反射鏡の前端開口部を被覆した前面透光具と、前記第１の反射鏡の前方に配置された略筒状の第２の反射鏡とを備え、前記第２の反射鏡の上端開口部の縁部を、前記発光部の先端部と前記グリップの内周側とを結ぶ線よりも発光部中心軸側に設定したことを特徴とするものである。
【０００８】
請求項１記載の照明器具によれば、発光部の発光によって前面透光具のグリップの影や前面透光具の周縁部からの光が第２の反射鏡に映り込まなくなり、第２の反射鏡の鏡面に前面透光具の模様ができなくなるので意匠上良好となる。しかも小型化が可能であり、かつ器具効率の低下を最小限に押えられる。
【０００９】
請求項２記載の照明器具は、請求項１において、前記第１の反射鏡の前端開口部の口径よりも前記第２の反射鏡の上端開口部の開口径を小さくするとともに両開口部の間に隙間を設けたものである。
【００１０】
請求項２記載の照明器具によれば、請求項１と同様な効果のほか、第２の反射鏡を例えばマジックばねなどで支持している場合に、隙間に指を挿入して鏡面に指を触れることなく第２の反射鏡を下げて外しやすくなり、ランプ交換が容易になる。
【００１１】
請求項３記載の照明器具は、請求項１または請求項２において、前記第２の反射鏡の前記上端開口部の前記縁部が、折曲端が外向きになるように断面逆Ｌ字状に曲線状または直線状に折曲されたものである。
【００１２】
請求項３記載の照明器具によれば、請求項１または請求項２と同様な効果のほか、第２の反射鏡の上端開口部の縁部に内鍔を設けたものと比較して、内鍔による影が第２の反射鏡にできないので意匠上良好になる。
【００１３】
【発明の実施の形態】
この発明の第１の実施の形態を図１および図２により説明する。すなわち、このダウンライトに適用した照明器具は、第１の反射鏡１と、発光部２と、前面透光具３と、第２の反射鏡４とを有する。
【００１４】
まず、器具本体５は図２に示すように、天井６の埋込穴５に挿入されて開口端の外つば７が埋込穴５の縁部に係止する筒状であり、金具製の取付具８により天井６に固定されている。器具本体５の天部に器具保持台９を設け、器具保持台９に器具本体５内に向けてランプソケット１０を垂下し、また器具保持台９の上端部にアーム１１を張出し、アーム１１の下面に安定器１２を取付け、アーム１１の先端下面に端子台１３を取付けている。一方外つば７を被覆する枠１４を、マジックばねを用いた枠取付ばね１５を器具本体５に設けた係止具に係合することにより取付けている。枠１４には反射鏡支持部１６を設けている。
【００１５】
第１の反射鏡１は略筒状であり、この実施の形態では略ラッパ形に形成され、上端部がランプソケットの前端部に位置する。
【００１６】
発光部２は、第１の反射鏡１の内側に配置されているが、実施の形態の発光部２は発光管またはフィラメントにより形成され、その口金２ａがランプソケット１０に装着されている。
【００１７】
前面透光具３は、前面の周縁部の周方向に多数の突起状のランプ着脱用のグリップ１７を有して第１の反射鏡１の前端開口部を被覆している。実施の形態では例えば前面ガラスを用い、かつこの前面透光具３と第１の反射鏡１と発光部２とにより従来例と同様なランプを構成している。
【００１８】
第２の反射鏡４は略筒状であり、第１の反射鏡１の前方に配置されている。実施の形態では第２の反射鏡４が例えば円の略錐台筒状である。そしてこの第２の反射鏡４の上端開口部の縁部２２を、発光部２の先端部Ｂとグリップ１７の内周側Ａとを結ぶ線Ｌよりも発光部中心軸（ランプ中心軸）Ｏ側に設定しており、線Ｌで結ばれる先端部Ｂは内周側Ａに対して発光部中心軸Ｏの反対側になっている。また第１の反射鏡１の前端開口部の口径Ｒ2 よりも第２の反射鏡の上端開口部の開口径Ｒ1 を小さくするとともに両開口部の間に隙間Ｈを設けている。隙間Ｈは例えば５ｍｍ以上である。第２の反射鏡４では開口径Ｒ1 を小さく形成するとともに取付けのため、上端開口部に内鍔１８を折返しにより形成して縁部２２を形成し、その外周側に周溝１９を形成している。この周溝１９に断面Ｌ字形のリング状部材２０の内周縁が嵌合し、外周側部が反射鏡支持部１６にねじ２１により取付けられている。
【００１９】
ランプを外す場合、第２の反射鏡４内に手を挿入し、その上端開口部の隙間Ｈに指を挿入して上端部を引下げると、枠取付ばね１５が器具本体５の係止具を摺動して枠１４とともに下がり、枠取付ばね１５を係止具から外すと枠１４および第２の反射鏡４を外すことができる。この状態でグリップ１７に手を掛けてランプを回し口金２ａをランプソケット１０から外しランプ交換する。第２の反射鏡４は前述と反対の手順でまず枠取付ばね１５を係止具に掛け、枠１４を押し上げて枠取付ばね１５の弾力により第２の反射鏡４を所定の位置に保持させる。
【００２０】
この実施の形態によれば、発光部２の発光によって前面透光具３のグリップ１７の影や前面透光具３の周縁部からの光が第２の反射鏡４に映り込まなくなり、第２の反射鏡４の鏡面に前面透光具３の模様ができなくなるので意匠上良好となる。しかも小型化が可能であり、かつ器具効率の低下を最小限に押えられる。
【００２１】
また、第１の反射鏡１の前端開口部の口径Ｒ2 よりも第２の反射鏡４の上端開口部の開口径Ｒ1 を小さくするとともに両開口部の間に隙間Ｈを設けたため、第２の反射鏡４を隙間Ｈに指を挿入して鏡面に指を触れることなく第２の反射鏡４を下げて外しやすくなり、ランプ交換が容易になる。
【００２２】
また前面透光具３の外形が下から見えないので、第１の反射鏡１、発光部２および前面透光具３からなるランプのランプ口金２ａが傾いて、発光部中心軸Ｏから傾いた状態でランプが取付けられても、ランプが第２の反射鏡４で隠されて分かりにくい。
【００２３】
この発明の第２の実施の形態を図３および図４により説明する。第１の実施の形態において、第２の反射鏡４の上端開口部の縁部２２が断面で屈曲部のない曲線状に形成され、断面略逆Ｌ字状に折曲されて外鍔２３を設けている。すなわち、外鍔２３が第２の反射鏡４の上端部から断面で曲線部４ａを介して連続し、この曲線部４ａにより縁部２２が形成されている。この外鍔２３に孔が形成され、その孔に断面Ｌ字形のリング状部材２０′の水平片２７に形成した孔が整合し、ねじ２５およびナット２６により連結され、このリング状部材２０′が反射鏡支持部１６に連結されている。
【００２４】
この実施の形態によれば、第１の実施の形態のように第２の反射鏡４の上端開口部に内鍔１８を設けたものと比較して、内鍔１８が庇になることによる影が第２の反射鏡４の内面に映り込まないので意匠上良好になる。
【００２５】
なお、上端開口部の縁部２２は、断面で屈曲部のない曲線状に形成されたが、直線状に形成されてもよい。
【００２６】
１２′はインバータブロックであり、その他は第１の実施の形態とほぼ同様であり、共通部分に同一符号を付している。
【００２７】
なお、この発明において、発光部２を通常のランプにより構成し、このランプを第１の反射鏡１および前面透光具３からなる灯具部材の内側に収納し、第１の反射鏡１をランプソケット１０に着脱自在に構成したものや、第１の反射鏡１をランプソケット１０に取付け前面透光具３を第１の反射鏡１に対して着脱自在に構成したものなどでもよい。
【００２８】
【発明の効果】
請求項１記載の照明器具によれば、発光部の発光によって前面透光具のグリップの影や前面透光具の周縁部からの光が第２の反射鏡に映り込まなくなり、第２の反射鏡の鏡面に前面透光具の模様ができなくなるので意匠上良好となる。しかも小型化が可能であり、かつ器具効率の低下を最小限に押えられる。
【００２９】
請求項２記載の照明器具によれば、請求項１と同様な効果のほか、第２の反射鏡を例えばマジックばねなどで支持している場合に、隙間に指を挿入して鏡面に指を触れることなく第２の反射鏡を下げて外しやすくなり、ランプ交換が容易になる。
【００３０】
請求項３記載の照明器具によれば、請求項１または請求項２と同様な効果のほか、第２の反射鏡の上端開口部の縁部に内鍔を設けたものと比較して、内鍔による影が第２の反射鏡にできないので意匠上良好になる。
【図面の簡単な説明】
【図１】  この発明の第１の実施の形態の部分拡大図である。
【図２】  照明器具の部分断面側面図である。
【図３】  発明の第２の実施の形態の部分拡大図である。
【図４】  照明器具の部分断面側面図である。
【図５】  第１の従来例の部分断面側面図である。
【図６】  第２の従来例の部分断面側面図である。
【図７】  その第１の反射鏡および前面ガラスを示し、（ａ）は正面図、（ｂ）は底面図である。
【符号の説明】
１   第１の反射鏡
２   発光部
３   前面透光具
４   第２の反射鏡
１７ グリップ
Ｒ1  上端開口径
Ｒ2  口径
Ａ   グリップの内周側
Ｂ   発光部の先端部
Ｌ   線
Ｈ   隙間
【図１】
0003820737.tif 000002
【図２】
0003820737.tif 000003
【図３】
0003820737.tif 000004
【図４】
0003820737.tif 000005
【図５】
0003820737.tif 000006
【図６】
0003820737.tif 000007
【図７】
0003820737.tif 000008